(57)【要約】【課題】有効な消臭具を提供する。【解決手段】内容器２の中のセレウス・ペルヴィアナス４からマイナスイオンが発生し、電磁波が吸収される。内容器２と外容器１との間に収容される球状消臭具１１（消臭剤５）は、楠の樹木の粉末（１乃至９９重両部）に光触媒作用を有する物質（１乃至５０重両部）が混合され球状塊状に成型されたものと、米ぬかまたは米ぬか酵素（９９乃至１重両部）に光触媒作用を有する物質（１乃至５０重両部）が混合され球状塊状に成型されたものとからなっている。米ぬかまたは米ぬか酵素および楠の樹木の粉末によって悪臭成分が吸着され、光触媒作用を有する物質によって分解され、消臭作用が永続される。さらに、楠の樹木の粉末によって、米ぬかまたは米ぬか酵素に虫が発生し米ぬかまたは米ぬか酵素が劣化されるのが防止される。マイナスイオン発生及び電磁波吸収によって消臭効果がより高められる。【選択図】図６
2007014748.tif 000002
【特許請求の範囲】
【請求項１】
楠の樹木の粉末を１乃至９９重量部、若しくは米ぬか酵素の粉末または乾燥させた米ぬかを９９乃至１重量部を、
光触媒作用を有する物質１乃至５０重量部を、水１乃至１０００重量部に混合したものに、
さらに混合して煉って成型して乾燥させたことを特徴とする消臭剤。
【請求項２】
上記楠の樹木の粉末と上記米ぬか酵素の粉末または乾燥させた米ぬかとは、互いに混合されることを特徴とする請求項１記載の消臭剤。
【請求項３】
請求項１または２記載の消臭剤に対して、マイナスイオンを発生する物質または素材を、混合または配置したことを特徴とする請求項１、２または３記載の消臭剤または消臭具。
【請求項４】
請求項１、２または３記載の消臭剤または消臭具に対して、電磁波を吸収する物質または素材を、混合または配置したことを特徴とする請求項１、２、３または４記載の消臭剤または消臭具。
【請求項５】
上記楠の樹木の粉末、または／及び上記米ぬか酵素の粉末または乾燥させた米ぬか、これに混合する上記光触媒作用を有する物質、これに混合する楠の樹木の抽出液またはこれを乾燥させた物質、これに混合するマイナスイオンを発生する物質または素材、またはこれに混合する電磁波を吸収する物質または素材は、混合された状態または混合された状態で、塊状に形成されていることを特徴とする請求項１、２、３または４記載の消臭剤または消臭具。
【請求項６】
請求項１、２、３、４または５の消臭剤を製造する消臭剤製造方法。
【発明の詳細な説明】
【技術分野】
【０００１】
本発明は、消臭剤に関し、特に、廃棄物を再利用してリサイクルにも有効な消臭剤に関する。
【背景技術】
【０００２】
従来、種々の消臭剤が発明されてきているが、廃棄物を再利用するものはまだまだ少ない。
【０００３】
【特許文献１】特開平５−３９０７号公報
【発明の開示】
【発明が解決しようとする課題】
【０００４】
本件発明の目的は、廃棄物を再利用してリサイクルにも有効な消臭剤を提供することにある。
【課題を解決するための手段】
【０００５】
前記目的を達成するために、本発明の消臭剤は、  楠の樹木の粉末を１乃至９９重量部、若しくは米ぬか酵素の粉末または乾燥させた米ぬかを９９乃至１重量部を、  光触媒作用を有する物質１乃至５０重量部を、水１乃至１０００重量部に混合したものに、  さらに混合して煉って成型して乾燥させた。
【発明の効果】
【０００６】
これにより、楠の樹木を切断・加工したときのおがくずや、米ぬかまたは米ぬか酵素など、廃棄されることが多い素材・物質を再利用して、消臭剤を製造することができる。むろん、廃棄されない楠の樹木の粉末や米ぬかまたは米ぬか酵素を利用してもよい。また、楠の樹木の粉末若しくは米ぬかまたは米ぬか酵素に吸着された臭い物質成分が、光触媒反応によって臭いを発しない物質に分解され、楠の樹木の粉末及び米ぬかまたは米ぬか酵素の消臭作用が長く持続する。
【発明を実施するための最良の形態】
【０００７】
（１）消臭剤
本件消臭剤は、楠の樹木の粉末が５０重量部、乾燥させた米ぬかまたは米ぬか酵素の粉末が５０重量部混合される。楠の樹木の粉末としては、例えば楠をのこぎり等で切断・加工するときに出る切削屑であるおがくずが用いられる。むろん、楠の樹木を細かく粉状に粉砕してもよい。樹木は、楠の幹、枝、根などであり、場合によって楠の葉、花、芽、果実も含まれる。
【０００８】
米ぬかは、玄米を精白してできる子実の果皮・胚などが粉状化したものである。このような米ぬかは悪臭成分を吸収するので、消臭作用(防臭作用も含む)がある。この米ぬかの中には米ぬか酵素と呼ばれる酵素が大量に含まれている。米ぬか酵素の粉末は市販されている。
【０００９】
このような米ぬかまたは米ぬか酵素には、コクゾウムシ・ダニなどの虫がわきやすいため、上記混合される楠の樹木の粉末によって、このような虫の発生が防止される(防虫作用（殺菌作用または抗菌作用も含む）)。しかも、この楠の樹木の粉末には、消臭作用もある。
【００１０】
このような楠の樹木の粉末と米ぬかまたは米ぬか酵素の粉末とは、乾燥状態で混合され、楠の樹木の粉末が１乃至９９重量部、乾燥させた米ぬかまたは米ぬか酵素の粉末が９９乃至１重量部混合され、望ましくは楠の樹木の粉末が２０乃至８０重量部、乾燥させた米ぬかまたは米ぬか酵素の粉末が８０乃至２０重量部、より望ましくは楠の樹木の粉末が３０乃至７０重量部、乾燥させた米ぬかまたは米ぬか酵素の粉末が７０乃至３０量部、さらに望ましくは楠の樹木の粉末が４０乃至６０重量部、乾燥させた米ぬかまたは米ぬか酵素の粉末が６０乃至４０重量部混合される。
【００１１】
米ぬかまたは米ぬか酵素の混合割合が多くなると、消臭作用が向上するが、虫がわき易くなり、楠の樹木の粉末の混合割合が多くなると、防虫作用が向上するが、消臭作用が低下する。楠の樹木の粉末と米ぬかとが混合されて、両者の消臭作用は相乗的に強くなる。
【００１２】
なお、上記楠の樹木の粉末としては、楠の樹木の抽出液またはこれを乾燥させた物質が用いられてもよい。この様な楠の抽出液は、特開平５−９７６４７号公報、特開昭６３−１９６５１４号公報、特開２００３−９５８３５号公報などに示されている。さらには、このような抽出液を乾燥させたものでもよい。このような楠の樹木の抽出液またはこれを乾燥させた物質でも、消臭作用を発揮できる。
【００１３】
さらに、上記楠の樹木の粉末としては、樟脳（ショウノウ）が用いられてもよい。樟脳は、楠の幹、根、葉を水蒸気蒸留してショウノウ油とし、このショウノウ油を冷却させて粗製ショウノウとして、この粗製ショウノウを昇華させたり、上記ショウノウ油から再結晶させたりして精製ショウノウとされる。樟脳はこの精製ショウノウであるが、代わりに、これらショウノウ油、粗製ショウノウが用いられてもよい。楠の樹木の抽出液またはこれを乾燥させた物質は、このようなものも含む。
【００１４】
上記楠の樹木の粉末と米ぬかまたは米ぬか酵素とは、乾燥状態で混合されるが、この混合は通常の撹拌機または撹拌棒等による手作業などで行われる。また、後述する光触媒作用を有する物質、マイナスイオンを発生する物質、電磁波を吸収する物質も、同様の方法で混合される。このような各物質の撹拌による混合が本件消臭剤の製造方法となる。
【００１５】
以上の楠の樹木の粉末及び／または米ぬかは、粉状における各粒子の表面積が大きいほど、吸着力が向上し、消臭効果も向上する。このように表面積を大きくするには、楠の樹木の粉末及び／または米ぬかをよく乾燥させたり、大量の空気を送り込んで楠の樹木の粉末及び／または米ぬかをよく攪拌したりなどすればよい。
【００１６】
（２）光触媒作用を有する物質の添加・混合
このような楠の樹木の粉末と米ぬかまたは米ぬか酵素の混合物には、粉末状または粒子状の光触媒作用を有する物質が添加されて混合される。この光触媒作用を有する物質は、光半導体粉末の光触媒作用により抗菌作用・消臭作用が行われるものである。
【００１７】
この光半導体粉末としては、酸化チタン（ＴｉＯ2)、ガリウムリン（ＧａＰ）、ガリウム砒素（ＧａＡｓ）、硫化カドニウム（ＣｄＳ）、チタン酸ストロンチウム（ＳｒＴｉＯ3）、酸化亜鉛（ＺｎＯ）、酸化鉄（Ｆｅ2Ｏ3）、酸化タングステン（ＷＯ3）等が用いられる。また、場合によって、吸着材料として、アパタイト（リン灰石）、ゼオライトまたはセピオライト等のセラミックス粉末、活性炭及び絹繊維含有物等がさらに混合される。
【００１８】
このような光触媒作用を有する物質を混合すると、上記楠の樹木の粉末及び米ぬかまたは米ぬか酵素に吸着された臭い物質成分が、光触媒反応によって臭いを発しない物質に分解される。したがって、このような光触媒作用を有する物質をさらに混合すると、楠の樹木の粉末及び米ぬかまたは米ぬか酵素の消臭作用が長く持続する。しかし、短い間だけ消臭させる場合には、混合しなくてもよい。
【００１９】
この光触媒作用を有する物質は、上記楠の樹木の粉末及び乾燥させた米ぬかまたは米ぬか酵素の混合物１００重両部に対して１乃至５０重量部、望ましくは１０乃至４０重両部、より望ましくは２０乃至３０重量部、混合される。
【００２０】
以上の光触媒作用を有する物質は、各粒子の表面積が大きいほど、吸着力及び光分解作用が向上し、消臭効果も向上する。このように表面積を大きくするには、光触媒作用を有する物質をよく乾燥させたり、大量の空気を送り込んだりして光触媒作用を有する物質をよく攪拌するなどすればよい。
【００２１】
（３）マイナスイオンを発生する素材及び電磁波を吸収する素材の配置
図１は、生存している植物のサボテンの周囲に上記楠の樹木の粉末及び米ぬかまたは米ぬか酵素の混合物またはこれらに光触媒作用を有する物質を混合した混合物を配置した観葉植物（置物／消臭具）を示す。
【００２２】
コップ状のガラスの外容器１の内側には二重となるコップ状のガラスの内容器２が一体形成されている。この内容器２の中には土３入れられ、この土３はサボテンの一種であるセレウス・ペルヴィアナス４が生存／生育している状態で植えられている。
【００２３】
セレウス・ペルヴィアナス４は、サボテンの一種であり、マイナスイオンを発生し、しかも電磁波を吸収する作用を有している。上記内容器２と外容器１との間には、上記消臭剤５が収容される。この消臭剤５は、楠の樹木の粉末及び米ぬかまたは米ぬか酵素の混合物またはこれらに光触媒作用を有する物質を混合した混合物である。
【００２４】
このような消臭剤５の中央に、マイナスイオンを発生ししかも電磁波を吸収するセレウス・ペルヴィアナス４を配置すると、上記消臭作用及び防虫作用がさらに向上する。これは、マイナスイオンの発生及び電磁波の吸収によって、上記光触媒作用を有する物質の上記光触媒作用がより促進するためと考えられる。
【００２５】
また、マイナスイオンの発生及び電磁波の吸収によって、上記楠の樹木の粉末及び米ぬかまたは米ぬか酵素の臭い物質成分の吸着作用がより促進するためと考えられる。さらに、マイナスイオンのそのものは、臭い物質成分に多いプラスイオンを中和させる作用もあり、これにより消臭作用を発揮する。またさらに、電磁波が当たるとプラスイオンが増えるので、電磁波吸収が行われると、その分マイナスイオン発生量を相対的に増やすことができ、この結果上記消臭作用をより向上させることができる。
【００２６】
上記内容器２と外容器１との間のスペースは、浅く広いのがよい。これにより、消臭剤５が空気に面する範囲が広がり、樹木の粉末、米ぬかまたは米ぬか酵素及び光触媒作用を有する物質が臭い物質成分に接する頻度も高くなり、吸着効果が向上して消臭効果も向上する。
【００２７】
（４）米ぬか酵素の添加・混合
上述のような消臭剤には、米ぬかの酵素が添加されて混合される。このような米ぬか酵素は、上記米ぬかの代わりに混合されたり、米ぬかとともに混合されたりする。この場合、上記楠の樹木の粉末と同じ量、またはこの同量のプラスマイナス１０％、２０％、３０％、４０％、５０％の米ぬかの酵素が楠の樹木の粉末に混合される。
【００２８】
この米ぬかの酵素は酵素の酵素が萌芽状態または胞子状態のもので、粉末状である。このような米ぬか酵素は、上述の米ぬかの発酵が進められて米ぬかの中の米ぬか酵素が増殖されたものが乾燥されたり、これから米ぬか酵素が米ぬかから分離抽出されたりして製造され、市販もされている。このような米ぬか酵素も米ぬかと同じく悪臭成分を吸収するので、消臭作用(防臭作用も含む)がある。
【００２９】
そして、場合によって、この樹木の粉末及び米ぬか酵素の粉末または米ぬかの粉末以外に、上記または後述する光触媒作用を有する物質、上記楠の樹木の抽出液またはこれを乾燥させた物質、上記または後述するマイナスイオンを発生する物質または素材、または／及び上記または後述する電磁波を吸収する物質または素材が添加または混合される。
【００３０】
（５）消臭剤・消臭具の生産方法・製造方法
上記の楠の樹木の粉末０．１乃至５．０重量部、望ましくは０．５乃至２．０重量部、例えば１．０重量部は、二酸化チタンの水溶液または水４.０重量部に撹拌しながら加えられる。また、米ぬか酵素の粉末または米ぬかの粉末０．１乃至５．０重量部、望ましくは０．５乃至２．０重量部、例えば１.０重量部は、二酸化チタンの水溶液または水１.５重量部に撹拌しながら加えられる。この混合物は、粘土ぐらいの粘性を持った状態になる。この状態でよく撹拌を行なう。
【００３１】
この後、この煉られた混合物は、水分がある状態で丸く加工され自然乾燥されて成型される。この加工は手作業または成型用の型などが利用される。乾燥後の消臭具は０．５重量％となり、楠の樹木の粉末の消臭具の直径は０．７０乃至２．５６センチメートル、望ましくは１．１９乃至１．８９センチメートル、ほぼ１．５センチメートル、米ぬか酵素／米ぬかの粉末の消臭具の直径は０．５１乃至１．８８センチメートル、望ましくは０．８７乃至１．３９センチメートル、ほぼ１．１センチメートルとなる。楠の樹木の粉末の消臭具の直径が大きくなるのは、楠の樹木の粉末の比重が米ぬか酵素／米ぬかの粉末の比重より小さいからである。
【００３２】
上記二酸化チタンの水溶液は、二酸化チタン１乃至５０重量部を、水１乃至１０００重量部、例えば１０乃至１００重量部に混合したものである。または上記二酸化チタンの水溶液は、水１００重量部に対して二酸化チタンが５乃至２００重量部、望ましくは１０乃至１００重量部、より望ましくは２０乃至５０重量部混合される。この二酸化チタンの代わりに上記または後述の光触媒触媒作用を有する物質が用いられてもよい。
【００３３】
なお、上記の楠の樹木の粉末と米ぬか酵素の粉末または米ぬかの粉末とは、上記の混合割合、例えば同じ重量部で、乾燥状態で混合され、この混合は通常の撹拌機または撹拌棒等による手作業などで行われてもよい。この混合された楠の樹木の粉末と米ぬか酵素の粉末とは、上記二酸化チタンの水溶液に撹拌しながら加えられる。
【００３４】
この混合物は、二酸化チタンの水溶液１００容量部（容量比、体積比、体積部、重量比または重量部以下同じ）に対して、５０乃至５００容量部、例えば１００乃至２００容量部が混合される。この混合物は、粘土ぐらいの粘性を持った状態になる。この状態でよく撹拌を行なう。
【００３５】
この後、この煉られた混合物は、水分がある状態で丸く加工され自然乾燥されて直径１．１乃至１．５センチメートル、例えば１．３センチメートルに成型され、乾燥後の消臭具は０．５重量％となる。この加工は手作業または成型用の型などが利用される。上記二酸化チタンの水溶液は、水１００重量部に対して二酸化チタンが５乃至２００重量部、望ましくは１０乃至１００重量部、より望ましくは２０乃至５０重量部混合される。この二酸化チタンの代わりに上記または後述の光触媒触媒作用を有する物質が用いられてもよい。
【００３６】
なお、上述のように、上記楠の樹木の粉末と米ぬかまたは米ぬか酵素とは、乾燥状態で混合されてもよく、この混合は通常の撹拌機または撹拌棒等による手作業などで行われる。また、上記または後述する光触媒作用を有する物質、マイナスイオンを発生する物質、電磁波を吸収する物質も、同様の方法で混合される。このような各物質の撹拌による混合が本件消臭剤の製造方法となる。
【００３７】
以上のように楠の樹木の粉末及び二酸化チタン（光触媒作用物質）との混合消臭具と、米ぬか／米ぬか酵素の粉末及び二酸化チタン（光触媒作用物質）との混合消臭具とを分離すると、消臭したい悪臭の状況に応じて、楠の樹木の粉末の消臭剤の個数（割合）を増やしたり／減らしたり、米ぬか／米ぬか酵素の粉末の消臭具の個数（割合）を増やしたり／減らしたりして、楠の樹木の成型物と米ぬかまたは米ぬか酵素の成型物との個数割合つまり両比率の変更が容易になる。
【００３８】
また、楠の樹木の粉末及び二酸化チタン（光触媒作用物質）との混合消臭具と、米ぬか／米ぬか酵素の粉末及び二酸化チタン（光触媒作用物質）との混合消臭具とを一体にすると、米ぬかまたは米ぬか酵素にわきやすい虫を楠の樹木の粉末によって駆除できる。
【００３９】
（６）消臭実験結果
図２乃至図５は、実験結果を示す。実験では、悪臭物質の代表である、アンモニア（図２）、酢酸（図３）、ホルムアルデヒド（図４）、アセトアルデヒド（図５）の４つの物質につき、米ぬかまたは米ぬか酵素１．０ｇ、楠の樹木の粉末１．０ｇ、これらの混合物１．０ｇ、この混合物にさらに酸化チタン（光触媒）を１０％混ぜた混合物１．０ｇ、これらの混合物に図１のセレウス・ペルヴィアナス４を植えた消臭具、市販の消臭剤１．０ｇ、無添加の７つの事例において実験を行った。
【００４０】
これらの実験において、アンモニア（図２）及び酢酸（図３）につき、米ぬかまたは米ぬか酵素１．０ｇ、楠の樹木の粉末１．０ｇ、これらの混合物１．０ｇ、この混合物にさらに酸化チタン（光触媒）を１０％混ぜた混合物１．０ｇ、これらの混合物に図１のセレウス・ペルヴィアナス４（サボテン）を植えた消臭具では、いずれも、６０分経過して、９３〜９９％の消去（ｐｐｍ比）つまり消臭が認められた。
【００４１】
これに対し、アンモニア（図２）及び酢酸（図３）につき、市販の消臭剤１．０ｇでは、６０分経過して、６０％ほどの消去（ｐｐｍ比）つまり消臭しか認められなかった。また、同じく、無添加では、６０分経過して、８〜１０％ほどの消去（ｐｐｍ比）つまり臭い物質の自然消滅が認められた。
【００４２】
また、ホルムアルデヒド（図４）につき、米ぬかまたは米ぬか酵素１．０ｇ及び楠の樹木の粉末１．０ｇでは、６０分経過して、７０〜７２．５％の消去（ｐｐｍ比）つまり消臭が認められた。さらに、同じく、米ぬかまたは米ぬか酵素と楠の樹木の粉末の混合物１．０ｇでは、６０分経過して、８０％の消去（ｐｐｍ比）つまり消臭が認められた。
【００４３】
また、ホルムアルデヒド（図４）につき、この混合物にさらに酸化チタン（光触媒）を１０％混ぜた混合物１．０ｇでは、６０分経過して、９０％の消去（ｐｐｍ比）つまり消臭が認められた。さらに、同じく、これらの混合物に図１のセレウス・ペルヴィアナス４（サボテン）を植えた消臭具では、６０分経過して、９５％の消去（ｐｐｍ比）つまり消臭が認められた。
【００４４】
これに対し、ホルムアルデヒド（図４）につき、市販の消臭剤１．０ｇでは、６０分経過して、４５％ほどの消去（ｐｐｍ比）つまり消臭しか認められなかった。また、同じく、無添加では、６０分経過して、０％ほどの消去（ｐｐｍ比）つまり臭い物質の自然消滅はほとんど認められなかった。
【００４５】
また、アセトアルデヒド（図５）につき、米ぬかまたは米ぬか酵素１．０ｇ及び楠の樹木の粉末１．０ｇでは、６０分経過して、６．６〜１３．３％の消去（ｐｐｍ比）つまり若干の消臭が認められた。さらに、同じく、米ぬかまたは米ぬか酵素と楠の樹木の粉末の混合物１．０ｇでは、６０分経過して、２６．６％の消去（ｐｐｍ比）つまり消臭が認められた。
【００４６】
また、アセトアルデヒド（図５）につき、この混合物にさらに酸化チタン（光触媒）を１０％混ぜた混合物１．０ｇでは、６０分経過して、５０％の消去（ｐｐｍ比）つまり消臭が認められた。さらに、同じく、これらの混合物に図１のセレウス・ペルヴィアナス４（サボテン）を植えた消臭具では、６０分経過して、７５％の消去（ｐｐｍ比）つまり消臭が認められた。
【００４７】
これに対し、アセトアルデヒド（図５）につき、市販の消臭剤１．０ｇでは、６０分経過して、６．６％ほどの消去（ｐｐｍ比）つまり若干の消臭しか認められなかった。また、同じく、無添加では、６０分経過して、０％ほどの消去（ｐｐｍ比）つまり臭い物質の自然消滅はほとんど認められなかった。
【００４８】
以上のことから、アンモニア（図２）、酢酸（図３）及びホルムアルデヒド（図４）に対しては、米ぬかまたは米ぬか酵素と楠の樹木の粉末の混合物には高い消臭効果が認められたが、ホルムアルデヒド（図４）に対しては消臭効果が高いとはいえない。しかし、アンモニア（図２）、酢酸（図３）及びホルムアルデヒド（図４）のほか、アセトアルデヒド（図５）に対しては、米ぬかまたは米ぬか酵素と楠の樹木の粉末と酸化チタン（光触媒）との混合物、この混合物に図１のセレウス・ペルヴィアナス４（サボテン）を植えた消臭具では、高い消臭効果が認められた。
【００４９】
（７）塊状の消臭剤・消臭具
図６は、上記消臭剤・消臭具を塊状例えば、球状にした例を示す。この球状消臭具１１は、上述の楠の樹木の粉末と米ぬかまたは米ぬか酵素の上記混合割合の混合物が、水分がある状態で丸く加工され自然乾燥されて成型される。この加工は手作業または成型用の型などが利用される。
【００５０】
なお、この球状消臭具１１には、上述または後述の楠の樹木の抽出液またはこれを乾燥させた物質が上記混合割合で代わりに混合されたり、上述または後述の光触媒作用を有する物質が上記混合割合で混合されたり、後述のマイナスイオンを発生させる物質が上記混合割合で混合されたり、または後述の電磁波の吸収させる物質が上記混合割合で混合されたりする。
【００５１】
この球状消臭具１１の直径は、数ミリメートル乃至数センチメートルであり、例えば５ミリメートル乃至２センチメートルである。この球状消臭具１１は、複数が、上記外容器１または内容器２と同様の容器に収容され設置される。この球状消臭具１１の直径は、全て均一であるが、異なる大きさのものが種々用意されてもよい。このように、塊状にすれば、塊の間を空気がよく通り、消臭効果が高まる。
【００５２】
（８）他の実施の形態
本発明は上記実施例に限定されず、本発明の趣旨を逸脱しない範囲で種々変更可能である。例えば、球状消臭具１１は、球形のほか、長方体、立方体、多面体、角柱、円柱、タマゴ型、楕円球、棒状、シート状、帯状、環状、凹凸のある形状など、どのような形状でもよく、これらを混在させてもよい。
【００５３】
上記球状消臭具１１は、以下のように製造されても良い。上記楠の樹木の粉末と米ぬか酵素または米ぬかの粉末との混合物は、二酸化チタンの入っていない水に撹拌しながら加えられ、この撹拌された混合物は丸く加工される。この加工物の表面は、自然乾燥後または乾燥前に、二酸化チタンの塗料が塗布される。
【００５４】
この場合、球形の混合物の表面の一部または全部に塗布される。これにより、二酸化チタンが表面に集中するので、二酸化チタンの光触媒の機能を発揮し易くなる。この場合、混合物を環状にし、環状の外側に二酸化チタンの塗料を塗布する。そうすると、環状の内側で楠と米ぬかまたは米ぬか酵素、マイナスイオン、電磁波吸収の効果を発揮させることができる。
【００５５】
また、上述の消臭剤または消臭具は、家屋・施設の室内に設置されるほか、牛舎、豚舎、鶏舎、食肉加工工場、食品廃棄物処理場、産業廃棄物処理場、汚水処理施設、トイレ、工場、調理場、動物・ペットのいる場所など、悪臭の発生する場所の中、周囲に配置されたり付着されたり、これらの場所の換気ダクト、排気ダクト、吸気ダクト、換気扇などの換気設備の中、周囲に配置されたり付着されたりする。
【００５６】
さらに、上記マイナスイオンを発生する素材としては、セレウス・ペルヴィアナス４のほか、その他のサボテン、その他の観葉植物、その他の植物、マイナスイオン発生装置でもよい。また、このようなマイナスイオンを発生する素材の代わりに、マイナスイオンを発生する物質が、上記米ぬかまたは米ぬか酵素及び楠の樹木の粉末または／及び酸化チタン（光触媒）の混合物に添加または混合されてもよい。
【００５７】
このようなマイナスイオンを発生する物質としては、電気石及び／またはガーネット、若しくはバリウム、ジルコニウム、シリカ、ストロンチウム、カルシウム、燐、硫黄、塩素、希土類元素等を含む鉱物のいずれか１種又は２種以上が用いられる。なお、希土類元素としては、イットリウム、ランタン、セリウム、ネオジムなどが用いられる。
【００５８】
さらに、電磁波を吸収する素材としては、セレウス・ペルヴィアナス４のほか、その他のサボテン、その他の観葉植物、その他の植物、電磁波吸収シート／テープ／装置でもよい。また、このような電磁波を吸収する素材の代わりに、電磁波を吸収する物質が、上記米ぬかまたは米ぬか酵素及び楠の樹木の粉末または／及び酸化チタン（光触媒）の混合物に添加または混合されてもよい。
【００５９】
このような電磁波を吸収する物質としては、電磁波を吸収する磁性物質／導電物質なども用いられ、導電性／磁性体の網、導電性／強磁性体の板／筒／箱などであってもよい。このような素材の具体例は、鉄、パーマロイ、ニッケル、コバルトなどである。
【００６０】
このようなマイナスイオンを発生する物質または／および電磁波を吸収する物質は、上記楠の樹木の粉末及び乾燥させた米ぬかまたは米ぬか酵素の混合物１００重両部に対して１乃至５０重量部、望ましくは１０乃至４０重両部、より望ましくは２０乃至３０重量部、添加または混合される。
【００６１】
また、楠の樹木の粉末、乾燥させた米ぬかまたは米ぬか酵素、光触媒作用を有する物質は、通常は乾燥した状態にあるが、水分を含んだ状態でもよい。乾燥しているほうが消臭効果は高いが、濡れていても消臭効果は発揮される。
【００６２】
（９）他の発明の効果
[１] 楠の樹木の粉末を１乃至９９重量部、若しくは米ぬか酵素の粉末または乾燥させた米ぬかを９９乃至１重量部を、  光触媒作用を有する物質１乃至５０重量部を、水１乃至１０００重量部に混合したものに、  さらに混合して煉って成型して乾燥させたことを特徴とする消臭剤。
【００６３】
これにより、楠の樹木の粉末若しくは米ぬかまたは米ぬか酵素に吸着された臭い物質成分が、光触媒反応によって臭いを発しない物質に分解され、楠の樹木の粉末及び米ぬかまたは米ぬか酵素の消臭作用が長く持続する。また、消臭したい悪臭の状況に応じて、楠の樹木の粉末の消臭剤の成型物の個数（割合）を増やしたり／減らしたり、米ぬか／米ぬか酵素の粉末の消臭具の成型物の個数（割合）を増やしたり／減らしたりして、楠の樹木の成型物と米ぬかまたは米ぬか酵素の成型物との個数割合つまり両比率の変更が容易になる。
【００６４】
[２]上記楠の樹木の粉末と上記米ぬか酵素の粉末または乾燥させた米ぬかとは、互いに混合されることを特徴とする請求項１記載の消臭剤。これにより、楠の樹木の粉末及び二酸化チタン（光触媒作用物質）との混合消臭具と、米ぬか／米ぬか酵素の粉末及び二酸化チタン（光触媒作用物質）との混合消臭具とを一体にでき、米ぬかまたは米ぬか酵素にわきやすい虫を楠の樹木の粉末によって駆除できる。
【００６５】
[３]請求項１、２または３記載の消臭剤に対して、マイナスイオンを発生する物質または素材を、混合または配置したことを特徴とする請求項１、２または３記載の消臭剤または消臭具。このマイナスイオンの発生によって、上記楠の樹木の粉末及び米ぬかまたは米ぬか酵素の臭い物質成分の吸着作用がより促進し、マイナスイオンのそのものは、臭い物質成分に多いプラスイオンを中和させる作用もあり、これにより消臭作用を発揮する。
【００６６】
[４]請求項１、２または３記載の消臭剤または消臭具に対して、電磁波を吸収する物質または素材を、混合または配置したことを特徴とする請求項１、２、３または４記載の消臭剤または消臭具。この電磁波吸収によって、上記楠の樹木の粉末及び米ぬかまたは米ぬか酵素の臭い物質成分の吸着作用がより促進し、電磁波吸収が行われると、その分マイナスイオン発生量を相対的に増やすことができ、この結果上記消臭作用をより向上させることができる。
【００６７】
[５]上記楠の樹木の粉末または／及び上記米ぬか酵素の粉末または乾燥させた米ぬか、これに混合する上記光触媒作用を有する物質、これに混合する楠の樹木の抽出液またはこれを乾燥させた物質、これに混合するマイナスイオンを発生する物質または素材、またはこれに混合する電磁波を吸収する物質または素材は、混合された状態または混合された状態で、塊状に形成されていることを特徴とする請求項１、２、３または４記載の消臭剤または消臭具。これにより、塊の間を空気がよく通り、消臭効果が高まる。
【００６８】
[６]請求項１、２、３、４または５の消臭剤を製造する消臭剤製造方法。これにより、楠の樹木を切断・加工したときのおがくずや、米ぬかまたは米ぬか酵素など、廃棄されることが多い素材・物質を再利用して、消臭剤を製造することができる。
【００６９】
[７]請求項１または２における、楠の樹木の粉末に替えて、楠の樹木の抽出液またはこれを乾燥させた物質を混合することを特徴とする請求項１、２、３、４、５または６記載の消臭剤、消臭具または消臭剤製造方法。このような楠の樹木の抽出液またはこれを乾燥させた物質でも、消臭作用を発揮できる。
【００７０】
[８]上記マイナスイオンを発生する物質または素材は、生存している植物のサボテンであることを特徴とする請求項３記載の消臭剤または消臭具。これにより、観葉植物の外観を備えながら、消臭を行うことができる。
【００７１】
[９]上記電磁波を吸収する物質または素材は、生存している植物のサボテンであることを特徴とする請求項４記載の消臭剤または消臭具。これにより、観葉植物の外観を備えながら、消臭を行うことができる。
【００７２】
[１０]楠の樹木の粉末を１乃至９９重量部、米ぬか酵素の粉末または乾燥させた米ぬかを９９乃至１重量部混合したことを特徴とする消臭剤。これにより、楠の樹木を切断・加工したときのおがくずや、米ぬかまたは米ぬか酵素など、廃棄されることが多い素材・物質を再利用して、消臭剤を製造することができる。
【００７３】
[１１]請求項１０記載の消臭剤に、光触媒作用を有する物質をさらに１乃至５０重量部混合したことを特徴とする請求項１記載の消臭剤。これにより、楠の樹木の粉末及び米ぬかまたは米ぬか酵素に吸着された臭い物質成分が、光触媒反応によって臭いを発しない物質に分解され、楠の樹木の粉末及び米ぬかまたは米ぬか酵素の消臭作用が長く持続する。
【産業上の利用可能性】
【００７４】
廃棄されることが多い素材・物質を再利用してリサイクルにも有効な消臭具を提供する。内容器２の中にはサボテンの一種であるセレウス・ペルヴィアナス４が生育しており、マイナスイオンを発生し、電磁波を吸収する。内容器２と外容器１との間には、球状消臭具１１（消臭剤５）が収容される。
【００７５】
この球状消臭具１１は、楠の樹木の粉末（１乃至９９重両部）に光触媒作用を有する物質（１乃至５０重両部）が混合され球状塊状に成型されたものと、米ぬかまたは米ぬか酵素（９９乃至１重両部）に光触媒作用を有する物質（１乃至５０重両部）が混合され球状塊状に成型されたものとからなっている。
【００７６】
米ぬかまたは米ぬか酵素および楠の樹木の粉末によって悪臭成分が吸着され、光触媒作用を有する物質によって分解され、消臭作用が永続される。さらに、楠の樹木の粉末によって、米ぬかまたは米ぬか酵素に虫が発生し米ぬかまたは米ぬか酵素が劣化されるのが防止される。マイナスイオン発生及び電磁波吸収によって消臭効果がより高められる。
【図面の簡単な説明】
【００７７】
【図１】マイナスイオンを発生し電磁波を吸収する生存植物のサボテンの周囲に、楠の樹木の粉末及び米ぬかまたは米ぬか酵素の混合物または／及び光触媒作用を有する物質を混合した混合物を配置した消臭具を示す。
【図２】アンモニアの消臭実験を示す。
【図３】酢酸の消臭実験を示す。
【図４】ホルムアルデヒドの消臭実験を示す。
【図５】アセトアルデヒドの消臭実験を示す。
【図６】上記消臭剤・消臭具を塊状例えば、球状にした例を示す。
【符号の説明】
【００７８】
１…外容器、２…内容器、
４…セレウス・ペルヴィアナス（サボテン）（マイナスイオン発生／電磁波吸収）、
３…土、５…消臭剤、
１１…球状消臭具。
【図１】
2007014748.tif 000003
【図２】
2007014748.tif 000004
【図３】
2007014748.tif 000005
【図４】
2007014748.tif 000006
【図５】
2007014748.tif 000007
【図６】
2007014748.tif 000008